(57)【要約】【課題】本発明は、ラドル本体に溶湯を汲み取り、プランジャへ溶湯を注ぎ込んだ後、ラドル注ぎ口に薄膜が残らず、かつ、周辺の設備に薄膜を落下させないラドルを提供することを目的とする。【解決手段】本発明は、溶湯を保持炉内から汲み取るラドル本体と、このラドル本体内の溶湯を金型内に注ぎ込む注ぎ口とを備えたラドルであって、注ぎ口の溶湯を加熱し、注ぎ口での溶湯の温度低下を抑制する加熱手段を注ぎ口に設けたことを特徴とする。【選択図】図４
2013226564.tif 000002
【特許請求の範囲】
【請求項１】
溶湯（３）を保持炉（６）内から汲み取るラドル本体（１０）と、このラドル本体（１０）内の溶湯（３）を金型（２）内に注ぎ込む注ぎ口（１１）とを備えたラドル（５）であって、
前記注ぎ口（１１）の前記溶湯（３）を加熱し、注ぎ口（１１）での溶湯（３）の温度低下を抑制する加熱手段（１２）を注ぎ口（１１）に設けたことを特徴とするラドル（５）。
【請求項２】
請求項１記載のラドル（５）であって、
前記加熱手段（１２）の温度は、溶湯（３）を溶解可能な温度であることを特徴とするラドル（５）。
【請求項３】
溶解された溶湯（３）が貯留される保持炉（６）からラドル本体（１０）を傾けて保持炉（６）内の溶湯（３）を汲み取り、溶湯（３）をラドル本体（１０）に汲み取った状態で金型（２）まで移動した後に、ラドル本体（１０）と一体に形成され加熱手段（１２）により加熱されている注ぎ口（１１）を金型（２）のプランジャ（４）に向けて位置させた状態で、ラドル本体（１０）を傾斜させて前記注ぎ口（１１）からプランジャ（４）に溶湯（３）を注ぐことを特徴とする注湯方法。
【発明の詳細な説明】
【技術分野】
【０００１】
本発明は、ダイキャストマシンの注湯方法に関し、特にラドルを用いて注湯する注湯方法に関するものである。
【背景技術】
【０００２】
従来、特許文献１に示すように、ダイキャストマシンの射出装置に近接して保持炉（ルツボ）が別置され、そのルツボ中の溶融アルミニウムなどの溶湯をラドルで汲み上げて、射出装置等のプランジャスリーブの注湯口まで走行させて注湯する給湯装置及び注湯方法が知られている。
【先行技術文献】
【特許文献】
【０００３】
【特許文献１】実開平５−２８５４６号公報
【発明の概要】
【発明が解決しようとする課題】
【０００４】
しかしながら、従来のラドルでは、溶湯を汲み取った後、溶湯をプランジャへ注ぎ込んでいくと、ラドルの注ぎ口の近傍に溶湯が凝固して薄膜となって残り、ラドルから垂れ下がってラドルが再び溶湯を汲み取るために移動する際、薄膜が落下し、周辺の設備に付着してしまう。
【０００５】
さらに、この落下した薄膜がプランジャの金型へのドッキング面に付着すると、隙間が生じるのでダイキャストマシンが異常を検知し、ダイキャストマシンが停止する。このため、その都度ドッキング面に付着した薄膜を除去しなくてはいけないという課題があった。
【０００６】
そこで、本発明は、ラドル注ぎ口に薄膜が残らず、かつ、周辺の設備に薄膜が落下することのないラドルの提供を目的としている。
【課題を解決するための手段】
【０００７】
上記の課題を解決するために、本発明は、溶湯３を保持炉６内から汲み取るラドル本体１０と、このラドル本体１０内の溶湯３を金型２内に注ぎ込む注ぎ口１１とを備えたラドル５であって、前記注ぎ口１１の前記溶湯３を加熱し、注ぎ口１１での溶湯３の温度低下を抑制する加熱手段１２を注ぎ口１１に設けたことを特徴とする。
【０００８】
また、前記加熱手段１２の温度は、溶湯３を溶解可能な温度であることを特徴とする。
【０００９】
溶解された溶湯３が貯留される保持炉６からラドル本体１０を傾けて保持炉６内の溶湯３を汲み取り、溶湯３をラドル本体１０に汲み取った状態で金型２まで移動した後に、ラドル本体１０と一体に形成され加熱手段１２により加熱されている注ぎ口１１を金型２のプランジャ４に向けて位置させた状態で、ラドル本体１０を傾斜させて前記注ぎ口１１からプランジャ４に溶湯３を注ぐことを特徴とする。
【発明の効果】
【００１０】
本発明は、ラドル本体１０の注ぎ口１１の溶湯３を加熱し、注ぎ口１１での溶湯３の温度低下を抑制する加熱手段１２を注ぎ口１１に設けたことにより、ラドル本体１０の注ぎ口１１に薄膜が残らないので、周辺の設備に薄膜を落下させることなく、プランジャ４に溶湯３を注ぐことができる。
【００１１】
また、加熱手段１２の温度を、溶湯３を溶解可能な温度とすることによって、上記効果と同様の効果を得ることができる。
【図面の簡単な説明】
【００１２】
【図１】ダイキャストマシン略式全体図。
【図２】（ａ）プランジャと金型のドッキングする前を示すＡ−Ａ線略式断面図、（ｂ）プランジャと金型がドッキングした後を示すＡ−Ａ線略式断面図。
【図３】ラドルの概略拡大図。
【図４】ラドルによって溶湯を汲み取りプランジャへの注湯を示す概略図。
【発明を実施するための形態】
【００１３】
以下、本発明の実施の形態について、図面を用いて詳細に説明する。
【００１４】
＜実施形態１＞
図１〜４を用いて本発明の実施形態に係るラドル及びこのラドルを用いた注湯方法について説明する。
【００１５】
図１，図２に示すように、ダイキャストマシン１は、所望の製品を成形するための形状を有する金型２と、この金型２に溶湯３を注湯するプランジャ４と、プランジャ４に溶湯３を注湯するラドル５と、溶湯３を貯留している保持炉６と、から構成されている。
【００１６】
金型２は、固定されている固定型７と、この固定型７に向けて可動する可動型８と、から構成されている。これらの固定型７と可動型８には、後述するプランジャ４とドッキングする金型側ドッキング面９と、所望の製品を成形するためのキャビティ１６がそれぞれ形成されており、金型側ドッキング面９とキャビティ１６とを連通する通路部１７が形成され、この通路部１７内は溶湯３が流入する。また、保持炉６には、製品を成形するためのアルミニウム等の溶湯３が貯留されている。
【００１７】
溶湯３を汲み取るラドル５は、溶湯３を保持炉６内から汲み取るお椀型のラドル本体１０と、このラドル本体１０に一体に形成されラドル本体１０の外周端から突設して溶湯３を金型２内に注ぎ込む注ぎ口１１と、この注ぎ口１１に溶湯３を加熱して、注ぎ口１１での溶湯３の温度低下を抑制する加熱手段１２として配置されるヒータ１２と、から構成されている。
【００１８】
このラドル本体１０の注ぎ口１１に形成されるヒータ１２は、図３に示すように、注ぎ口１１の先端１３から所定閾離れて配置されている。図中Ａ領域では、保持炉６から溶湯３を汲み取ってプランジャ４へ溶湯３を注ぐまでの間に溶湯３の表面には、溶湯３が凝固して薄膜ができてしまうが、金型側ドッキング面９に落下せずにプランジャ４へ注湯することができる。Ｂ領域は、注湯時にはラドル本体１０が傾斜しているので、溶湯３が凝固して薄膜が形成されたとしてもＡ領域の溶湯３とともにプランジャ４へ注湯される。Ｃ領域には、ヒータ１２が配置されているので、高温を維持して溶湯３をプランジャ４へ注湯することができる。
【００１９】
すなわち、本実施形態では、Ｃ領域にヒータ１２を配置することによって、Ａ領域とＢ領域の溶湯３の表面にそれぞれできる薄膜を分断している。このように薄膜を分断することにより、Ａ領域は、再度保持炉６から溶湯３を汲み取る際に薄膜が再溶融し、Ｂ領域では、ラドル５が傾斜することで、プランジャ４に薄膜の状態で注湯される。
【００２０】
有底筒状に形成されたプランジャ４は、ラドル本体１０によって保持炉６から汲み取られた溶湯３を一旦貯留している。このプランジャ４の開口１４の周囲には、金型２の金型側ドッキング面９とドッキングするプランジャ側ドッキング面１５が形成されている。
【００２１】
次に、ラドル５を用いた注湯方法について図４を用いて説明する。
【００２２】
図４に示すように、まず、ラドル５を傾斜させて、保持炉６に貯留している溶湯３をラドル本体１０内に汲み取る。次に溶湯３を汲み取ったラドル５を回転させてラドル本体１０に溶湯３を貯留する。ラドル本体１０に貯留した溶湯３を移動する。ラドル５をプランジャ４の開口１４へ向けて約７秒間傾けて溶湯３を注湯する。
【００２３】
溶湯３が注湯されたプランジャ４は、プランジャ側ドッキング面１５と金型側ドッキング面９をドッキングさせ、プランジャ４内の溶湯３に圧力を加えて金型２の通路部１７を介してキャビティ１６に溶湯３を注湯する。
【００２４】
このように、本実施形態は、ラドル本体１０の注ぎ口１１の溶湯３を加熱し、注ぎ口１１での溶湯３の温度低下を抑制する加熱手段１２を注ぎ口１１に設けたことにより、ラドル本体１０の注ぎ口１１の溶湯３が凝固せず、注ぎ口１１に薄膜が残らないので、注ぎ口１１から薄膜が垂れ下がらず周辺の設備に薄膜を落下することなく、プランジャ４に溶湯３を注ぐことができる。
【００２５】
また、加熱手段１２の温度を、溶湯３を溶解可能な温度とすることによって、上記効果と同様の効果を得ることができる。
【００２６】
さらに、プランジャ側ドッキング面１５に溶湯３が凝固した薄膜が落下することがないので、ダイキャスト装置が異常を検知することなく、作動することができるので、ダイキャスト装置を止めることなく、ダイキャスト装置を作動させることができる。
【００２７】
さらにまた、ラドル本体１０に薄膜が残らないため、ラドル本体１０からプランジャ４へ溶湯３をスムーズに注湯することができ、湯切りのための待機時間を短くすることができるので、作業時間を短縮することができる。
【００２８】
また、本実施形態では、注ぎ口１１に、注ぎ口１１の溶湯３を加熱し、注ぎ口１１での溶湯３の温度低下を抑制する加熱手段１２としているが、溶湯３の材質によって加熱する温度は、適宜変更することができる。
【００２９】
なお、本実施形態では、ラドル５をプランジャ４の開口へ向けて約７秒間傾けているが、ラドル本体１０に汲み取った溶湯３をプランジャ４へ注湯することができれば良く、７秒以下でも７秒以上であっても良い。
【産業上の利用可能性】
【００３０】
本発明は、ダイキャスト装置のラドルに利用することができる。
【符号の説明】
【００３１】
２  金型
３  溶湯
５  ラドル
６  保持炉
１０  ラドル本体
１１  注ぎ口
１２  加熱手段
【図１】
2013226564.tif 000003
【図２】
2013226564.tif 000004
【図３】
2013226564.tif 000005
【図４】
2013226564.tif 000006